(57)【要約】【課題】吊り掛け式コンセント装置を提供する。【解決手段】本発明に係る吊り掛け式コンセント装置は、錘部と、錘部と間隔を置いて設けられる吊り掛け部と、対向する両端がそれぞれ錘部及び吊り掛け部に接続される延在部と、錘部に接続される電源コードとを含む。錘部及び吊り掛け部は、それぞれ電源コードに電気的に接続されるコンセントユニットを有する。吊り掛け式コンセント装置では、錘部及び吊り掛け部がそれぞれ板材の下方及び上方に配置されると共に、吊り掛け式コンセント装置が板材に吊り掛けられて静的バランスが取れた状態となるように、吊り掛け式コンセント装置の重さによって吊り掛け部が板材に当接するよう維持される。【選択図】図１
2018073807.tif 000002
【特許請求の範囲】
【請求項１】
板材に吊り掛けられる吊り掛け式コンセント装置であって、
第１のコンセントユニットを含む錘部と、
前記錘部と間隔を置いて設けられると共に、第２のコンセントユニットを含む、吊り掛け部と、
対向する両端がそれぞれ前記錘部及び前記吊り掛け部に接続される延在部であって、前記延在部から離れた前記吊り掛け部の末端と前記延在部と間の横方向の距離が形成されており、前記横方向に平行な幅を有すると共に、前記幅が前記横方向の距離以下である、延在部と、
一端が前記錘部に接続され、他端が給電コンセントに分離可能に挿入接続されるのに用いられ、前記第１のコンセントユニット及び前記第２のコンセントユニットに電気的に接続される、電源コードと、
を含み、
前記錘部及び前記吊り掛け部がそれぞれ前記板材の下方及び上方に配置されたとき、前記板材に吊り掛けられて静的バランスが取れた状態となって、前記吊り掛け部が前記板材に当接するよう維持される重さを有する、
ことを特徴とする吊り掛け式コンセント装置。
【請求項２】
前記錘部は第１のハウジングを含み、
前記第１のコンセントユニットは前記第１のハウジング内に設けられ、
前記吊り掛け部は第２のハウジングを含み、
前記第２のコンセントユニットは前記第２のハウジング内に設けられ、
前記延在部は第３のハウジングを含み、
前記第３のハウジングの対向する両端がそれぞれ前記第１のハウジング及び前記第２のハウジングに垂直に接続される、
ことを特徴とする請求項１に記載の吊り掛け式コンセント装置。
【請求項３】
前記第３のハウジングの一端が前記第１のハウジングに一体に接続され、前記第３のハウジングの他端が前記第２のハウジングと一体に接続され、
前記第１のハウジング、前記第２のハウジング及び前記第３のハウジングによってＵ字形吊り掛け口が包囲形成されていることを特徴とする請求項２に記載の吊り掛け式コンセント装置。
【請求項４】
前記第１のハウジングに移動可能に設けられると共に、前記Ｕ字形吊り掛け口内に位置し、前記板材に当接するのに用いられる、位置制限構造を更に含むことを特徴とする請求項３に記載の吊り掛け式コンセント装置。
【請求項５】
前記位置制限構造は、当接部材及び弾性部材を含み、
前記当接部材の一端が前記弾性部材を介して前記第１のハウジングに設けられ、
前記当接部材の他端と前記第１のハウジングとで縦方向の距離が形成され、
前記当接部材が圧迫されることで前記縦方向の距離が縮小されると同時に、前記弾性部材に前記縦方向の距離を回復する弾性力が蓄えられる、
ことを特徴とする請求項４に記載の吊り掛け式コンセント装置。
【請求項６】
前記第１のハウジングの内表面に前記Ｕ字形吊り掛け口と連通する収容溝が凹設形成され、
前記位置制限構造が圧迫されて前記収容溝に向けて移動することを特徴とする請求項４に記載の吊り掛け式コンセント装置。
【請求項７】
前記第３のハウジングの一端が前記第１のハウジングに移動可能に接続され、前記第３のハウジングの他端が前記第２のハウジングに一体に接続されることを特徴とする請求項２に記載の吊り掛け式コンセント装置。
【請求項８】
前記第１のハウジングは長尺状であり、前記横方向の距離及び前記幅に対して垂直である長手方向を有することを特徴とする請求項７に記載の吊り掛け式コンセント装置。
【請求項９】
少なくとも１つの交流電源コンセントを含む第１のコンセントユニットを含む錘部と、
前記錘部と間隔を置いて設けられる吊り掛け部であって、少なくとも１つの直流電源コンセントを含む第２のコンセントユニットを含み、少なくとも１つの前記直流電源コンセントのジャックが前記錘部から離れた表面に設けられる吊り掛け部と、
対向する両端がそれぞれ前記錘部及び前記吊り掛け部に接続される延在部であって、コンセントユニットを一切含んでおらず、前記延在部から離れた前記吊り掛け部の末端と前記延在部との間に横方向の距離が形成されており、前記横方向に平行な幅を有すると共に、前記幅が前記横方向の距離以下である、延在部と、
を含むことを特徴とする吊り掛け式コンセント装置。
【請求項１０】
前記錘部は第１のハウジングを含み、
前記第１のコンセントユニットは前記第１のハウジング内に設けられ、
前記吊り掛け部は第２のハウジングを含み、
前記第２のコンセントユニットは前記第２のハウジング内に設けられ、
前記延在部は第３のハウジングを含み、
前記第３のハウジングの対向する両端はそれぞれ前記第１のハウジング及び前記第２のハウジングに垂直に接続される、
ことを特徴とする請求項９に記載の吊り掛け式コンセント装置。
【発明の詳細な説明】
【技術分野】
【０００１】
本発明は、コンセントに関し、特に吊り掛け式コンセント装置に関する。
【背景技術】
【０００２】
既存のコンセント装置には、テーブル上及びテーブル下で同時に使用する必要がある状況に対応することができない問題があった。
【０００３】
そこで、本発明人は、上述した欠点を合理的且つ効果的に改善可能な手段として本発明を見出した。
【発明の概要】
【発明が解決しようとする課題】
【０００４】
本発明は、既存のコンセント装置に生じうる欠点を効果的に改善するための吊り掛け式コンセント装置を提供することを課題とする。
【課題を解決するための手段】
【０００５】
１つの実施例において、本発明に係る吊り掛け式コンセント装置は、板材に吊り掛けられる吊り掛け式コンセント装置は錘部、吊り掛け部、延在部及び電源コードを含む。前記錘部は第１のコンセントユニットを含む。前記吊り掛け部は、前記錘部と間隔を置いて設けられると共に、第２のコンセントユニットを含む。前記延在部は、対向する両端がそれぞれ前記錘部及び前記吊り掛け部に接続される。前記吊り掛け部における前記延在部から離れた末端と前記延在部とで横方向の距離が形成される。前記延在部は前記横方向の距離に平行な幅を有する。前記幅は前記横方向の距離以下である。前記電源コードは、一端が前記錘部に接続され、他端が給電コンセントに分離可能に挿入接続されるのに用いられる。前記電源コードは、前記第１のコンセントユニット及び前記第２のコンセントユニットに電気的に接続される前記錘部及び前記吊り掛け部がそれぞれ前記板材の下方及び上方に配置されると共に、前記板材に吊り掛けられて静的バランスが取れた状態となるように、重さによって前記吊り掛け部が前記板材に当接するよう維持する。
【０００６】
他の実施例において、本発明に係る吊り掛け式コンセント装置は錘部、吊り掛け部及び延在部を含む。前記錘部は、少なくとも１つの交流電源コンセントを含む第１のコンセントユニットを含む。前記吊り掛け部は前記錘部と間隔を置いて設けられる。前記吊り掛け部は少なくとも１つの直流電源コンセントを含む第２のコンセントユニットを含む。少なくとも１つの前記直流電源コンセントのジャックが前記錘部から離れた表面に設けられる。前記延在部は、対向する両端がそれぞれ前記錘部及び前記吊り掛け部に接続される。前記延在部はコンセントユニットを一切含まない。前記延在部から離れた前記吊り掛け部の末端と前記延在部とで横方向の距離が形成される。前記延在部は前記横方向の距離に平行な幅を有する。前記幅は前記横方向の距離以下である。
【発明の効果】
【０００７】
本発明に係る吊り掛け式コンセント装置では、板材に吊り掛けられる方式を用いることで、吊り掛け部の第２のコンセントユニット及び錘部の第１のコンセントユニットによって、板材の上方及び板材の下方の両方においてコンセントを使用する需要を同時に満たすことができる。
【図面の簡単な説明】
【０００８】
【図１】本発明に係る吊り掛け式コンセント装置が板材に吊り掛けられると共に給電コンセントに電気的に接続されることを示す図である。
【図２】本発明に係る吊り掛け式コンセント装置の第１の実施例を示す斜視図である。
【図３】図２の平面図である。
【図４】図２の吊り掛け式コンセント装置が板材に吊り掛けられることを示す図である。
【図５】本発明に係る吊り掛け式コンセント装置の第２の実施例を示す斜視図である。
【図６】図５の平面図である。
【図７】図５の吊り掛け式コンセント装置が板材に吊り掛けられることを示す図である。
【図８】本発明に係る吊り掛け式コンセント装置の第３の実施例を示す斜視図である。
【図９】図８の平面図である。
【図１０】図８の錘部と延在部とが相対的に回転することを示す図である。
【図１１】図８の錘部と延在部とが相対的に伸縮することを示す図である。
【図１２】図８の吊り掛け式コンセント装置が板材に吊り掛けられることを示す図である。
【発明を実施するための形態】
【０００９】
本発明の特徴及び技術内容を更に理解することができるように、以下、図面を用いながら本発明を詳しく説明する。但し、本明細書及び図面は、本発明を説明するのに用いられるものに過ぎず、本発明の保護範囲を何ら制限するものではない。
【００１０】
図１乃至図１２のうち、図１は本発明を示す図であり、図２乃至図１２は本発明に係る第１乃至第３の実施例を示す図である。各実施例の対応する図面に示した数および外観は、本発明の内容が理解できるように、本発明の実施形態を具体的に説明するためのものにすぎず、本発明の技術的範囲を制限するものではない。
【００１１】
図１に示すように、本発明に係る吊り掛け式コンセント装置１００は、板材２００（例えば、オフィスデスク、机、カウンター又はその他の板材）に吊り掛けられるのに用いられるが、本発明はこれに限定されない。吊り掛け式コンセント装置１００は、錘部１と、当該錘部１と間隔を置いて設けられる吊り掛け部２と、錘部１及び吊り掛け部２に接続される延在部３と、前記錘部１に接続される電源コード４とを含む。
【００１２】
本発明の延在部３は対向する両端（例えば図１における延在部３の底端及び頂端）がそれぞれ錘部１及び吊り掛け部２に接続される。延在部３と錘部１及び吊り掛け部２との対応する具体的な接続方式は、一体的接続、分離可能接続、摺動可能接続又は回動可能接続等の各種接続形態であってもよいが、本発明はそれについて制限しない。
【００１３】
更に、錘部１は第１のコンセントユニット１１を含む。吊り掛け部２は第２のコンセントユニット２１を含む。即ち、吊り掛け式コンセント装置１００は、錘部１、吊り掛け部２及び延在部３の重量比に応じて調整して、板材２００に吊り掛けることができる。また、上述した錘部１と延在部３との間についても寸法上の構成によって、吊り掛け式コンセント装置１００がより安定して板材２００に吊り掛けられるようにすることができる。例えば、吊り掛け部２における延在部３から離れた末端（例えば図１における吊り掛け部２の右端）と延在部３との間には、横方向の距離Ｄが形成される。延在部３は前記横方向に平行な幅Ｗを有する。当該幅Ｗは横方向の距離Ｄ以下である。
【００１４】
電源コード４は、一端が錘部１に接続され、他端が給電コンセント３００に分離可能に挿入接続されるのに用いられる。電源コード４は、第１のコンセントユニット１１及び第２のコンセントユニット２１に電気的に接続される。これにより、給電コンセント３００からの電力が電源コード４を経由して第１のコンセントユニット１１及び第２のコンセントユニット２１に伝送される。更に、電源コード４と錘部１との接続方式は、固定接続、分離可能接続又は回動可能接続等の各種接続形態であってよいが、本発明はそれについて制限しない。
【００１５】
上述した通り、本発明に係る吊り掛け式コンセント装置１００は、錘部１及び吊り掛け部２を板材２００の下側及び上側にそれぞれに配置させることができると共に、吊り掛け式コンセント装置１００が板材２００に吊り掛けられて静的バランスが取れた状態となり、吊り掛け式コンセント装置１００の重さによって吊り掛け部２が板材２００（の頂面）に当接するように維持することができる。これにより、本発明に係る吊り掛け式コンセント装置１００は、板材２００に吊り掛けられる方式により、吊り掛け部２の第２のコンセントユニット２１及び錘部１の第１のコンセントユニット１１によって、板材２００の上側及び板材２００の下側の両方でコンセントを使用する必要がある状況に同時に対応することができる。
【００１６】
上述した内容は本発明に係る吊り掛け式コンセント装置１００の主要な技術的特徴であり、実際に適用する場合、当業者は上述した技術的特徴を合理的に運用する又は増減することによって、異なる実施形態の吊り掛け式コンセント装置１００を完成することができる。そのため、本発明について、吊り掛け式コンセント装置１００のあらゆる実施形態について逐一説明することは難しい。従って、以下、上述した技術的特徴を利用した一部の実施形態を取り上げることによって、吊り掛け式コンセント装置１００を説明するが、本発明の技術的範囲はそれに限定されない。
【００１７】
＜第１の実施例＞
図２乃至図４は、本発明に係る第１の実施例を示す。以下、本実施例を理解できるように、上述した共通の技術的特徴については詳しい説明を省略し、本実施例に係る吊り掛け式コンセント装置１００の具体的な構成を説明する。
【００１８】
錘部１は、第１のハウジング１２を含む。第１のコンセントユニット１１が当該第１のハウジング１２の内部に設けられる。即ち、本実施例において、上述した第１のハウジング１２及びその内部に収容された素子及び構造も合わせて錘部１という。第１のコンセントユニット１１は、少なくとも１つの交流電源コンセント１１１を含む。当該交流電源コンセント１１１のジャックは、錘部１における吊り掛け部２に面していない表面（例えば図２における第１のハウジング１２の側部表面）に設けられるが、本発明はこれに限定されない。
【００１９】
吊り掛け部２は、第２のハウジング２２を含む。第２のコンセントユニット２１が第２のハウジング２２の内部に設けられる。即ち、本実施例において、上述した第２のハウジング２２及びその内部に収容された素子及び構造も合わせて吊り掛け部２という。第２のコンセントユニット２１は、少なくとも１つの直流電源コンセント２１１（例えば、ＵＳＢコンセント）を含む。当該直流電源コンセント２１１のジャックは、吊り掛け部２における錘部１から離れた表面（例えば図２における第２のハウジング２２の頂部表面）に設けられるが、本発明はこれに限定されない。
【００２０】
更に、本実施例において、吊り掛け部２には、第２のコンセントユニット２１及び／又は第１のコンセントユニット１１の給電の要否を制御するためのスイッチユニット２３が更に設けられている。スイッチユニット２３は、使用者が操作制御しやすいように、吊り掛け部２における錘部１から離れた表面（例えば図２における第２のハウジング２２の頂部表面）に設けられるが、本発明はそれに限定されない。
【００２１】
延在部３は、第３のハウジング３１を含む。第３のハウジング３１及びその内部に収容された素子及び構造も合わせて延在部３という。本実施例において、延在部３はコンセントユニットを一切含まない。第３のハウジング３１の対向する両端は、それぞれ第１のハウジング１２及び第２のハウジング２２に垂直に接続される。更に言えば、第３のハウジング３１の一端（例えば図３における第３のハウジング３１の底端）は、第１のハウジング１２に一体に接続される。第３のハウジング３１の他端（例えば図３における第３のハウジングの頂端）は、第２のハウジング２２に一体に接続される。
【００２２】
更に詳しく述べると、第１のハウジング１２の長さは、上述した第２のハウジング２２の長さとほぼ同じであるため、第１のハウジング１２、第２のハウジング２２及び第３のハウジング３１によって共同で包囲されることでＵ字形吊り掛け口Ｏが形成されている。更に、第１のハウジング１２の幅Ｗ’は、上述した第２のハウジング２２の幅Ｗ’’とほぼ同じであり、第３のハウジングの幅Ｗは、第１のハウジング１２の幅Ｗ’より小さい。
【００２３】
また、第１のハウジング１２における第３のハウジング３１から離れた角（例えば図２における第１のハウジング１２右下の角）には切り込み１２１が形成されていると共に、使用者が電源コード４を適切な位置に向けることができるように、電源コード４が第１のハウジング１２の切り込み１２１に対して回動可能に貫通して設けられる。
【００２４】
＜第２の実施例＞
図５乃至図７は、本発明に係る第２の実施例を示す。本実施例は上述した実施例と類似しているため、以下、同一の内容については詳しい説明を省略し、本実施例と上述した実施例との主要な相違点を説明する。
【００２５】
本実施例に係る吊り掛け式コンセント装置１００は、第１のハウジング１２に移動可能に設けられた位置制限構造５を更に含む。位置制限構造５は、上述したＵ字形吊り掛け口Ｏ内に位置し、板材２００を付勢するのに用いられる。以下、本実施例における位置制限構造５の具体的な構成を説明するが、本発明における位置制限構造５はこれに限定されない。
【００２６】
具体的に言えば、本実施例における位置制限構造５は、ロッド状の当接部材５１及び弾性部材５２（例えば、トーションバネ）を含む。当接部材５１の一端（例えば図６における当接部材５１の底端）が弾性部材５２を介して第１のハウジング１２に設けられる（例えば、回動自在に接続される）。当接部材５１の他端（例えば図６における当接部材５１の頂端）と第１のハウジング１２とで縦方向の距離Ｈが形成されている。更に言えば、当接部材５１と第１のハウジング１２との距離は、底端から頂端に向かう方向に（例えば図６における右から左に向かう方向に）徐々に増加する。上述した縦方向の距離Ｈは、当接部材５１と第１のハウジング１２との間の最大距離である。
【００２７】
更に、第１のハウジング１２の内表面（例えば、第２のハウジング２２と向かい合う第１のハウジング１２の表面）には、Ｕ字形吊り掛け口Ｏと連通する収容溝１２２が凹設形成されている。収容溝１２２は、上述した位置制限構造５を收容するのに用いられる。位置制限構造５（の当接部材５１）が弾性部材５２の弾発力を受けて収容溝１２２に向けて移動する、又は完全に収容溝１２２の内部に収容されることができる。
【００２８】
更に言えば、当接部材５１を板材２００に当接させることで縦方向の距離Ｈが縮小する（即ち、図７における当接部材５１の頂端が収容溝１２２に向けて移動する）と同時に、弾性部材５２に縦方向の距離Ｈを回復する弾発力が蓄えられる。これにより、当接部材５１が弾性部材５２の弾発力に基づいて、板材２００に弾発付勢される。
【００２９】
＜第３の実施例＞
図８乃至図１２は、本発明に係る第３の実施例を示す。本実施例は上述した実施例と類似しているため、同一の内容については詳しい説明を省略し、本実施例と上述した実施例との主要な相違点を説明する。
【００３０】
本実施例における第１のハウジング１２は、長尺状であり長手方向Ｌを有すると共に、当該長手方向Ｌが横方向の距離Ｄ及び幅Ｗに対して垂直である。更に、第３のハウジング３１の一端（例えば図８及び図９における第３のハウジング３１の底端）は、第１のハウジング１２に対して移動可能に接続される。第３のハウジング３１の他端（例えば図８及び図９における第３のハウジング３１の頂端）は、第２のハウジング２２と一体に接続される。本実施例において、第３のハウジング３１の一端が第１のハウジング１２に移動可能に接続される方式は、図１０に示す回転式接続であってもよく、又は図１１に示す伸縮式接続であってもよく、制限されない。
【００３１】
更に詳しく述べると、第１のコンセントユニット１１は、長手方向Ｌに沿って配列された複数の交流電源コンセント１１１を含む。錘部１における第１のハウジング１２の底部には、第１のコンセントユニット１１及び／又は第２のコンセントユニット２１の給電の要否を制御するためのスイッチユニット１３が設けられる。本実施例の吊り掛け部２にはスイッチユニットが設けられていない。更に、電源コード４は、錘部１における吊り掛け部２から離れた末端（例えば図９における第１のハウジング１２の底縁部）に接続される。
【００３２】
＜本発明に係る実施例における技術的効果＞
このように、本発明に係る吊り掛け式コンセント装置では、板材に吊り掛けられる方式を用いることで、吊り掛け部の第２のコンセントユニット及び錘部の第１のコンセントユニットによって、板材の上方及び板材の下方の両方においてコンセントを使用する需要を同時に満たすことができる。
【００３３】
更に、本発明に係る吊り掛け式コンセント装置は、板材に当接するための位置制限構造がＵ字形吊り掛け口内に設けられていることによって、厚さの異なる様々な板材に安定して吊り掛けられることができる。
【００３４】
また、本発明に係る吊り掛け式コンセント装置は、その延在部が移動可能に錘部と接続されることができるため、異なる環境に適用されることができ、また使用者の異なる需要を満たすことができる。
【００３５】
以上は本発明の好ましい実施例に過ぎず、本発明の保護範囲を制限するものではない。本発明の特許請求の範囲に基づいてなされた均等の変更や修正は、いずれも本発明の保護範囲に含まれる。
【符号の説明】
【００３６】
１００  吊り掛け式コンセント装置
１  錘部
１１  第１のコンセントユニット
１１１  交流電源コンセント
１２  第１のハウジング
１２１  切り込み
１２２  収容溝
１３  スイッチユニット
２  吊り掛け部
２１  第２のコンセントユニット
２１１  直流電源コンセント
２２  第２のハウジング
２３  スイッチユニット
３  延在部
３１  第３のハウジング
４  電源コード
５  位置制限構造
５１  当接部材
５２  弾性部材
Ｄ  横方向の距離
Ｗ、Ｗ’、Ｗ’’  幅
Ｈ  縦方向の距離
Ｏ  Ｕ字形吊り掛け口
Ｌ  長手方向
２００  板材
３００  給電コンセント
【図１】
2018073807.tif 000003
【図２】
2018073807.tif 000004
【図３】
2018073807.tif 000005
【図４】
2018073807.tif 000006
【図５】
2018073807.tif 000007
【図６】
2018073807.tif 000008
【図７】
2018073807.tif 000009
【図８】
2018073807.tif 000010
【図９】
2018073807.tif 000011
【図１０】
2018073807.tif 000012
【図１１】
2018073807.tif 000013
【図１２】
2018073807.tif 000014